(57)【要約】  体液採取用回路基板は、絶縁層と、絶縁層に支持される穿刺針と、絶縁層に支持され、穿刺針の穿刺により採取される体液を接触させるための電極、体液の成分を測定する装置に接続するための端子、および、電極と端子とを電気的に接続する配線を一体的に備える導体パターンとを備えている。
2009008193.tif 000002
【特許請求の範囲】
【請求項１】
絶縁層と、
前記絶縁層に支持される穿刺針と、
前記絶縁層に支持され、
前記穿刺針の穿刺により採取される体液を接触させるための電極、
前記体液の成分を測定する装置に接続するための端子、および、
前記電極と前記端子とを電気的に接続する配線
を一体的に備える導体パターンと
を備えていることを特徴とする、体液採取用回路基板。
【請求項２】
前記穿刺針の穿刺方向上流側には、前記穿刺針のそれ以上の穿刺を規制するためのストッパが設けられていることを特徴とする、請求項１に記載の体液採取用回路基板。
【請求項３】
前記ストッパは、前記穿刺針の穿刺方向において、前記穿刺針の先端から０．３〜２．０ｍｍ離間する位置に設けられていることを特徴とする、請求項３に記載の体液採取用回路基板。
【請求項４】
前記絶縁層には、前記電極の周辺に配置され、前記体液の前記電極からの漏れを防止するためのダムが、設けられていることを特徴とする、請求項１に記載の体液採取用回路基板。
【発明の詳細な説明】
【技術分野】
【０００１】
本発明は、体液採取用回路基板、詳しくは、体液の成分を測定する装置に接続して、体液の成分を測定するために用いられる体液採取用回路基板に関する。
【背景技術】
【０００２】
糖尿病には、インシュリン依存性（Ｉ型）とインシュリン非依存性（ＩＩ型）とがあり、前者は、定期的なインシュリンの投与が必要となる。そのため、前者では、患者が自ら採血し、自ら血糖値を測定し、その血糖値に応じた投与量でインシュリンを自ら投与する処置方法が採用されている。
専ら、そのような患者のために、患者自身が、個人的に採血し、血糖値を測定することのできる血糖値測定装置が知られている。【０００３】
例えば、穿刺針と、電極が挿入される反応区域と、穿刺針と電極とを連通する毛管路とを一体的に備える流体収集装置が提案されている（例えば、特許文献１参照。）。
また、例えば、血液が接触する接触部と、血糖測定装置に接続するための端子部と、接触部と端子部とを接続する配線とが、プリント配線によって、同一のセンサ用ベース材に形成されているセンサが提案されている（例えば、特許文献２参照。）。
【特許文献１】特開２００４−４９３号公報
【特許文献２】特開２００６−１５０６８号公報
【発明の開示】
【発明が解決しようとする課題】
【０００４】
特許文献１に記載される流体収集装置では、穿刺針と反応区域とが一体的に形成されているので、測定準備が簡便である。しかし、この流体収集装置では、反応区域とは別部材である電極を、反応区域へ挿入して、血液成分を測定する。そのため、血液の検知精度が不安定となり、精度よく測定できないという不具合がある。
一方、特許文献２に記載されるセンサでは、接触部、端子部および配線が、プリント配線によって同一のセンサ用ベース材に形成されており、血液の検知精度は安定する。しかし、センサには、穿刺針が設けられていないため、このセンサで測定するときには、まず、血糖測定装置に設けられている穿刺針によって出血させ、その後、センサに採血する必要があり、操作が煩雑であるという不具合がある。【０００５】
本発明の目的は、簡易な構成により、体液の成分を精度よく測定することができ、しかも、操作が簡便である、体液採取用回路基板を提供することにある。
【課題を解決するための手段】
【０００６】
上記の目的を達成するため、本発明の体液採取用回路基板は、絶縁層と、前記絶縁層に支持される穿刺針と、前記絶縁層に支持され、前記穿刺針の穿刺により採取される体液を接触させるための電極、前記体液の成分を測定する装置に接続するための端子、および、前記電極と前記端子とを電気的に接続する配線を一体的に備える導体パターンとを備えていることを特徴としている。【０００７】
体液採取用回路基板では、絶縁層に、穿刺針と導体パターンとが一体的に支持されている。そのため、穿刺針の穿刺により体液を流出させて、流出した体液を、簡便に電極と接触させることができる。また、この体液採取用回路基板では、電極、端子および配線が、導体パターンとして一体的に設けられている。そのため、電極に接触する体液の成分の検知精度を向上させて、測定精度の向上を図ることができる。その結果、この体液採取用回路基板によれば、簡易な構成により、体液の成分を精度よく測定することができ、しかも、操作を簡便にすることができる。【０００８】
また、本発明の体液採取用回路基板では、前記穿刺針の穿刺方向上流側には、前記穿刺針のそれ以上の穿刺を規制するためのストッパが設けられていることが好適である。ストッパが設けられていると、穿刺針による穿刺がストッパにより規制される。そのため、確実かつ安定した穿刺を確保することができる。
さらに、前記ストッパは、前記穿刺針の穿刺方向において、その先端から０．３〜２．０ｍｍ離間する位置に設けられていることが好適である。ストッパの位置が上記範囲であると、穿刺針の過度の穿刺を確実に防止することができる。【０００９】
また、本発明の体液採取用回路基板では、前記絶縁層には、前記電極の周辺に配置され、前記体液の前記電極からの漏れを防止するためのダムが、設けられていることが好適である。ダムが設けられていると、電極から体液が漏れることを、ダムによって防止することができる。そのため、体液の成分の精度のよい測定を、達成することができる。
【発明の効果】
【００１０】
この体液採取用回路基板によれば、簡易な構成により、体液の成分を精度よく測定することができ、しかも、操作を簡便にすることができる。
【図面の簡単な説明】
【００１１】
【図１】図１は、本発明の体液採取用回路基板の一実施形態である採血用回路基板であって、（ａ）は平面図、（ｂ）は、長手方向断面図（（ａ）のＡ−Ａ線断面図）を示す。
【図２】図２は、図１に示す採血用回路基板の製造方法の一例を示す製造工程図（図１（ａ）のＢ−Ｂ線断面図）であって、（ａ）は、金属基板を用意する工程、（ｂ）は、ベース絶縁層を形成する工程、（ｃ）は、導体パターンを形成する工程、（ｄ）は、カバー絶縁層を形成する工程、（ｅ）は、金属基板を外形加工する工程、（ｆ）は、電極に薬剤を塗布する工程を示す。
【図３】図３は、図１に示す採血用回路基板の使用方法の一例を示す説明図であって、（ａ）は、穿刺針を穿刺する状態、（ｂ）は、穿刺箇所に電極を接触させる状態、（ｃ）は、血糖値測定装置に採血用回路基板を挿入する状態を示す。
【図４】図４は、本発明の体液採取用回路基板の一実施形態である採血用回路基板（絶縁側ストッパの穿刺方向下流側端縁を、基板側ストッパの穿刺方向下流側端縁よりも、穿刺方向下流側に配置する態様）を示す平面図である。
【図５】図５は、本発明の体液採取用回路基板の一実施形態である採血用回路基板（絶縁側ストッパのみを形成する態様）を示す平面図である。
【図６】図６は、本発明の体液採取用回路基板の一実施形態である採血用回路基板（ダムを形成する態様）であって、（ａ）は平面図、（ｂ）は、長手方向断面図（（ａ）のＡ−Ａ線断面図）を示す。
【図７】図７は、本発明の体液採取用回路基板の一実施形態である採血用回路基板（絶縁側ストッパおよび基板側ストッパを形成しない態様）を示す平面図であって、（ａ）は、ベース絶縁層およびカバー絶縁層を備える態様、（ｂ）は、ベース絶縁層のみを備える態様を示す。
【図８】図８は、本発明の体液採取用回路基板の一実施形態である採血用回路基板（２つの電極を形成する態様）を示す平面図である。
【図９】図９は、本発明の体液採取用回路基板の一実施形態である採血用回路基板（穿刺針を採血用回路基板の幅方向に沿って設ける態様）であって、（ａ）は平面図、（ｂ）は、長手方向断面図（（ａ）のＡ−Ａ線断面図）を示す。
【図１０】図１０は、本発明の体液採取用回路基板の一実施形態である採血用回路基板（導体パターンを金属基板から形成する態様：開口部あり）であって、（ａ）は背面図、（ｂ）は、長手方向断面図（（ａ）のＡ−Ａ線断面図）を示す。
【図１１】図１１は、本発明の体液採取用回路基板の一実施形態である採血用回路基板（導体パターンを金属基板から形成する態様：開口部なし）であって、（ａ）は背面図、（ｂ）は、長手方向断面図（（ａ）のＡ−Ａ線断面図）を示す。
【発明の実施形態】
【００１２】
図１は、本発明の体液採取用回路基板の一実施形態である採血用回路基板であって、（ａ）は平面図、（ｂ）は、長手方向断面図を示す。
図１において、採血用回路基板１は、患者が指などの皮膚を穿刺して採血し、採血した血液中のグルコース量を測定するために、血糖値測定装置３１（図３参照）とともに用いられる。この採血用回路基板１は、１回測定ごとに廃棄される、使い捨てタイプとして用意されている。
【００１３】
採血用回路基板１は、図１（ｂ）に示すように、金属基板２と、金属基板２の表面に積層される絶縁層としてのベース絶縁層３と、ベース絶縁層３の表面に積層される導体パターン４と、導体パターン４を被覆するように、ベース絶縁層３の表面に設けられるカバー絶縁層５とを備えている。
金属基板２は、金属箔などから長手方向に延びる矩形形状に形成されている。金属基板２を形成する金属としては、例えば、ニッケル、クロム、鉄、ステンレス（ＳＵＳ３０４、ＳＵＳ４３０、ＳＵＳ３１６Ｌ）などが用いられる。好ましくは、ステンレスが用いられる。また、金属基板２の厚みは、例えば、１０〜３００μｍ、好ましくは、２０〜１００μｍである。厚みが１０μｍ未満であると、強度不足により皮膚に穿刺できない場合がある。一方、厚みが３００μｍ超過であると、穿刺時に痛みを感じ、皮膚が過度に損傷する場合がある。
【００１４】
金属基板２は、図１（ａ）に示すように、穿刺針６、回路基板部７およびストッパとしての基板側ストッパ８を一体的に備えている。
穿刺針６は、長手方向に沿って先端が鋭角に尖る平面視略三角形状（二等辺三角形状） に形成されている。先端の角度θは、例えば、１０〜３０°、好ましくは、１５〜２５°である。先端の角度θが１０°未満であると、強度不足により皮膚に穿刺できない場合がある。一方、角度θが３０°超過であると、穿刺しにくい場合がある。また、穿刺針６の長手方向長さは、例えば、０．３〜２ｍｍである。
【００１５】
回路基板部７は、穿刺針６の穿刺方向上流側に配置され、穿刺針６から連続して設けられている。回路基板部７は、穿刺方向に長い平面視略矩形形状（長方形状）に形成されている。回路基板部７の幅方向（長手方向と直交する方向）長さは、例えば、５０μｍ〜３０ｍｍである。また、回路基板部７の長手方向長さは、例えば、２〜２５ｍｍである。なお、金属基板２の長手方向長さ（穿刺針６および回路基板部７の長手方向長さ）は、例えば、５〜３０ｍｍである。
【００１６】
基板側ストッパ８は、穿刺針６における穿刺方向上流側端部に設けられている。基板側ストッパ８は、穿刺針６の穿刺方向上流側端部において、その幅方向両側から、幅方向に沿って突出するように形成されている。基板側ストッパ８の幅方向への突出長さは、例えば、０．１〜２ｍｍである。各基板側ストッパ８は、回路基板部７よりも幅広となるように、平面視略矩形状に形成されており、その穿刺方向下流側端縁が、幅方向に一直線上に形成されている。基板側ストッパ８の穿刺方向下流側端縁は、例えば、穿刺針６の先端から、穿刺針６の穿刺方向上流側へ０．３〜２．０ｍｍ離間するように、配置されている。基板側ストッパ８の位置が上記範囲であると、穿刺針６の過度の穿刺を確実に防止することができる。
【００１７】
ベース絶縁層３は、回路基板部７の表面に積層される回路搭載部９と、基板側ストッパ８の表面に積層されるストッパとしての絶縁側ストッパ１０とを一体的に備えている。回路搭載部９は、平面視において回路基板部７と同一形状で形成されている。絶縁側ストッパ１０は、平面視において基板側ストッパ８と同一形状で形成されている。
ベース絶縁層３を形成する絶縁材料としては、例えば、ポリイミド樹脂、ポリカーボネート樹脂、ポリエチレン樹脂、ポリエチレンテレフタレート樹脂、エポキシ樹脂、フッ素樹脂などの合成樹脂が用いられる。機械耐久性および耐薬品性の観点から、好ましくは、ポリイミド樹脂が用いられる。また、ベース絶縁層３の厚みは、例えば、３〜５０μｍ、好ましくは、５〜２５μｍである。厚みが３μｍ未満であると、ピンホールなどの絶縁欠陥が発生する場合がある。一方、厚みが５０μｍ超過であると、切断や外形加工がしにくくなる場合がある。
【００１８】
導体パターン４は、３つの電極１１、３つの端子１２および３本の配線１３を備えている。
３つの電極１１は、回路搭載部９における穿刺方向下流側に配置されている。これら電極１１は、平面視略矩形形状に形成されており、そのうち２つが、幅方向に並列配置され、残りの１つが、上記２つよりも、穿刺方向下流側に配置されている。３つの電極１１は、それぞれ、作用極、対極または参照電極のいずれかに対応している。各電極１１の一辺の長さは、例えば、１００μｍ〜２．５ｍｍである。また、３つの電極１１は、穿刺方向において、穿刺針６の先端から、例えば、０．２〜５ｍｍ、好ましくは、０．５〜３ｍｍ以内に配置されている。穿刺針６の先端と電極１１との間が短すぎると、電極１１が穿刺針６とともに皮膚に刺さり、電極１１の表面に塗布された薬剤１７（後述）が、体内に拡散して正確な測定を阻害する場合がある。一方、穿刺針６の先端と電極１１との間が長すぎると、穿刺針６から電極１１へ血液を導入するために、吸引や毛細管現象を利用するための構成が必要となる。
【００１９】
３つの端子１２は、３つの電極１１に対向して設けられ、回路搭載部９における穿刺方向上流側に配置されている。これら端子１２は、電極１１よりやや小さい平面視略矩形形状に形成されている。また、３つの端子１２は、幅方向に並列配置されている。
３本の配線１３は、互いに幅方向に間隔を隔てて並列配置されており、各電極１１と対応する各端子１２とをそれぞれ電気的に接続するように、長手方向に沿って設けられている。各電極１１と、対向する各端子１２と、それらに接続される配線１３とは、連続して一体的に設けられている。各配線１３の幅方向長さは、例えば、０．０１〜２ｍｍであり、各配線１３の長手方向長さは、例えば、５〜２８ｍｍである。
【００２０】
導体パターン４を形成する導体材料としては、例えば、鉄、ニッケル、クロム、銅、金、銀、白金、またはそれらの合金などの金属が用いられる。導体材料は、ベース絶縁層３やカバー絶縁層５との密着性や加工容易性の観点から、適宜選択される。また、２種類以上の導体材料を積層することもできる。
カバー絶縁層５は、各配線１３を被覆するように、回路搭載部９の表面に設けられている。具体的には、カバー絶縁層５の穿刺方向下流側端縁は、３つの電極１１が露出するように、それらよりも穿刺方向上流側において、幅方向に沿って一直線上に形成されている。また、カバー絶縁層５には、各端子１２を露出させるための開口部１４が形成されている。カバー絶縁層５を形成する絶縁材料としては、上記したベース絶縁層３のそれと同様の絶縁材料が用いられる。カバー絶縁層５の厚みは、例えば、２〜５０μｍである。
【００２１】
図２は、採血用回路基板１の製造方法の一例を示す製造工程図である。次に、図２を参照して、採血用回路基板１の製造方法を説明する。
この方法では、まず、図２（ａ）に示すように、金属基板２を用意する。金属基板２は、例えば、金属基板２を多数確保できる長尺の金属箔として用意する。その長尺の金属箔から、各金属基板２を外形加工（後述）することにより、複数の採血用回路基板１を製造する。
【００２２】
次いで、この方法では、図２（ｂ）に示すように、金属基板２の表面に、ベース絶縁層３を形成する。ベース絶縁層３の形成は、例えば、金属基板２の表面に、感光性の合成樹脂ワニスを塗布し、フォト加工後に硬化させる方法、例えば、金属基板２の表面に合成樹脂のフィルムを積層し、そのフィルムの表面にベース絶縁層３と同一パターンのエッチングレジストを積層し、その後、エッチングレジストから露出するフィルムをウエットエッチングする方法、例えば、金属基板２の表面に、予め機械打ち抜きした合成樹脂のフィルムを積層する方法、例えば、金属基板２の表面に、合成樹脂のフィルムを積層した後、放電加工またはレーザ加工する方法などが用いられる。加工精度の観点から、好ましくは、金属基板２の表面に、感光性の合成樹脂ワニスを塗布し、フォト加工後に硬化させる方法が用いられる。
【００２３】
その後、この方法では、図２（ｃ）に示すように、導体パターン４を形成する。導体パターン４の形成は、アディティブ法やサブトラクティブ法など、プリント配線を形成する公知のパターンニング法が用いられる。微細パターンを形成できる観点から、好ましくは、アディティブ法が用いられる。アディティブ法では、例えば、ベース絶縁層３の表面に、化学蒸着やスパッタリグにより金属薄膜１５を形成し、その金属薄膜１５の表面にめっきレジストを形成した後、めっきレジストから露出する金属薄膜１５の表面に、金属薄膜１５を種膜として、電解めっきによりめっき層１６を形成する。
【００２４】
また、導体パターン４は、化学蒸着やスパッタリングにより金属薄膜１５のみから形成 することもできる。
なお、導体パターン４の形成では、電極１１の表面および端子１２の表面には、さらに電解めっきや無電解めっきより、異種の金属のめっき層を形成することもできる。
次いで、この方法では、図２（ｄ）に示すように、カバー絶縁層５を形成する。カバー絶縁層５の形成は、ベース絶縁層３を形成する方法と、同様の方法が用いられる。好ましくは、ベース絶縁層３の表面に、導体パターン４を被覆するように、感光性の合成樹脂ワニスを塗布し、フォト加工後に硬化させる方法が用いられる。なお、開口部１４は、カバー絶縁層５をパターンで形成する場合には、カバー絶縁層５を、開口部１４を有するパターンで形成すればよく、また、開口部１４は、例えば、放電加工する方法、例えば、レーザ加工する方法などにより、穿孔することもできる。
【００２５】
その後、図２（ｅ）に示すように、金属基板２を外形加工する。金属基板２の外形加工は、例えば、放電加工、レーザ加工、機械打ち抜き加工、エッチング加工などが用いられる。加工後の洗浄が容易である観点から、好ましくは、エッチング加工（ウエットエッチング）が用いられる。
これによって、穿刺針６と導体パターン４とがベース絶縁層３に支持される採血用回路基板１を得ることができる。得られた採血用回路基板１には、その電極１１に、図２（ｆ）に示すように、薬剤１７、すなわち、酵素として、例えば、グルコースオキシダーゼ、グルコースデヒドロゲナーゼなどや、例えば、メディエータとして、例えば、フェリシアン化カリウム、フェロセン、ベンゾキノンなどが、単独または組み合わせて塗布される。なお、薬剤１７の塗布には、例えば、浸漬法、スプレー法、インクジェット法など適宜の方法が用いられる。
【００２６】
また、薬剤１７の種類によっては、電極１１の表面に、上記したように、異種の金属のめっき層を形成した後、さらに、予め異種の金属の皮膜を形成しておいて、所定の電位差を付与することもできる。具体的には、金めっき層を形成した後、さらに、銀または塩化銀を、その金めっき層の表面に塗布することが例示される。
図３は、採血用回路基板１の使用方法の一例を示す説明図である。次に、図３を参照して、採血用回路基板１の使用方法について説明する。
【００２７】
この採血用回路基板１には、上記したように、患者が指などの皮膚を穿刺して採血し、採血した血液中のグルコース量を測定するために、血糖値測定装置３１とともに用いられる。血液中のグルコース量を測定するには、まず、図３（ａ）に示すように、患者自身が指などに、穿刺針６を穿刺して微量出血させる。このとき、穿刺針６の穿刺は、基板側ストッパ８および絶縁側ストッパ１０が皮膚に当接すると、それ以上の穿刺が規制される。
【００２８】
その後、図３（ｂ）に示すように、そのまま、穿刺箇所に電極１１を近づけて接触させる。すると、電極１１の表面に、穿刺針６の穿刺により採取された血液が接触して、血液と薬剤１７とが反応する。これによって、血液中の血糖値の量に応じて、各電極１１間に電圧を印加したときの抵抗値が変化する。
そして、図３（ｃ）に示すように、血糖値測定装置３１の端子入力部３２に、採血用回路基板１の穿刺方向上流側端部を挿入する。すると、採血用回路基板１の端子１２と、端子入力部３２の端子（図示せず）とが接触する。血糖値測定装置３１は、血糖値を簡易測定するための装置であって、種々市販されている公知の装置と同一の構成を備えている。この血糖値測定装置３１では、採血用回路基板１の端子１２と、端子入力部３２の端子（図示せず）とが接触すると、所定の電圧が印加され、変化する抵抗値に基づいてグルコース量が測定される。測定されたグルコース量は、血糖値として、ＬＥＤ表示部３３に表示される。
【００２９】
そして、この採血用回路基板１では、ベース絶縁層３に、穿刺針６と導体パターン４とが一体的に支持されている。そのため、穿刺針６の穿刺により微量出血させて、出血した血液を、簡便に電極１１と接触させることができる。
また、この採血用回路基板１では、電極１１、端子１２および配線１３が、導体パターン４として一体的に設けられている。そのため、電極１１に接触する血液中のグルコースの検知精度を向上させて、測定精度の向上を図ることができる。その結果、この採血用回路基板１によれば、簡易な構成により、血液中のグルコースを精度よく測定することができ、しかも、操作を簡便にすることができる。
【００３０】
また、この採血用回路基板１には、穿刺針６の穿刺方向上流側に、基板側ストッパ８および絶縁側ストッパ１０が設けられている。そのため、穿刺針６による穿刺が基板側ストッパ８および絶縁側ストッパ１０により規制される。そのため、確実かつ安定した穿刺を確保することができる。
なお、上記の説明では、基板側ストッパ８と絶縁側ストッパ１０とは、平面視において同一形状で形成されており、それらの穿刺方向下流側端縁は、面一に配置されている。
【００３１】
しかし、例えば、図４に示すように、絶縁側ストッパ１０の穿刺方向下流側端縁を、基板側ストッパ８の穿刺方向下流側端縁よりも、穿刺方向下流側に配置して、絶縁側ストッパ１０の穿刺方向下流側端部によって、基板側ストッパ８の穿刺方向下流側端縁を被覆するように、形成することもできる。
基板側ストッパ８と絶縁側ストッパ１０との相対位置が、上記の配置であれば、穿刺時には、皮膚に対して、基板側ストッパ８より柔軟である絶縁側ストッパ１０が当接する。そのため、穿刺時の患者の痛みを緩和することができる。また、基板側ストッパ８は、絶縁側ストッパ１０の穿刺方向上流側に配置されているので、絶縁側ストッパ１０の穿刺方向下流側端縁を、基板側ストッパ８により補強することができる。そのため、穿刺針６のそれ以上の穿刺を確実に規制することもできる。
【００３２】
さらに、絶縁材料の種類や厚みを選択することで、絶縁側ストッパ１０のみで、穿刺針６の穿刺を規制できる場合には、例えば、図５に示すように、基板側ストッパ８を形成せずに、絶縁側ストッパ１０のみを形成することもできる。この場合には、穿刺時の患者の痛みをより緩和できるとともに、金属基板２の外形加工を容易化することができる。
また、この採血用回路基板１には、図６に示すように、ベース絶縁層３の表面に、３つの電極１１の周辺に、ダム１８を設けることもできる。
【００３３】
ダム１８は、図６（ａ）に示すように、回路搭載部９の表面において、３つの電極１１の穿刺方向上流側と、穿刺方向下流側と、幅方向両側とに、３つの電極１１を取り囲むように連続して設けられている。また、ダム１８は、絶縁側ストッパ１０の表面にも回路搭載部９の表面から連続して形成されている。
また、ダム１８には、穿刺針６と電極１１との間には、穿刺針６の先端と、穿刺方向最下流側に配置されている１つの電極１１の幅方向中央とを結ぶ直線が通過できるように、挿通口１９が形成されている。挿通口１９を形成することで、穿刺針６の穿刺により採取された血液を、挿通口１９を通過させてダム１８内に導入し、３つの電極１１に接触させることが容易となる。挿通口１９の幅方向長さは、例えば、０．０３〜３ｍｍである。
【００３４】
また、ダム１８の厚みは、図６（ｂ）に示すように、ベース絶縁層３またはカバー絶縁層５と同一またはそれよりも厚く、例えば、３〜１００μｍ、好ましくは、１０〜６０μｍである。ダム１８の厚みが３μｍ未満であると、血液の漏れを防止できない場合がある。一方、厚みが１００μｍ超過であると、加工が困難となる場合がある。
ダム１８を形成する材料としては、例えば、エポキシ樹脂、アクリル樹脂などの熱硬化性樹脂、例えば、ポリカーボネート樹脂などの熱可塑性樹脂が用いられる。さらには、上記以外のベース絶縁層３と同様の合成樹脂を用いることもできる。さらに、複数の樹脂を積層することもできる。
【００３５】
ダム１８の形成は、例えば、ベース絶縁層３の表面に、感光性の合成樹脂ワニスを塗布し、フォト加工後に硬化させる方法、例えば、ベース絶縁層３の表面に合成樹脂のフィルムを積層し、そのフィルムの表面にダム１８と同一パターンのエッチングレジストを積層し、その後、エッチングレジストから露出するフィルムをウエットエッチングする方法、例えば、ベース絶縁層３の表面に、予め機械打ち抜きした合成樹脂のフィルムを積層する方法、例えば、ベース絶縁層３の表面に、合成樹脂のフィルムを積層した後、放電加工またはレーザ加工する方法などが用いられる。加工精度の観点から、好ましくは、ベース絶縁層３の表面に、感光性の合成樹脂ワニスを塗布し、フォト加工後に硬化させる方法が用いられる。
【００３６】
また、ダム１８は、カバー絶縁層５の形成と同時に、カバー絶縁層５と連続して一体的に形成することもできる。
このようなダム１８を形成すれば、ダム１８内に配置されている電極１１から、採取された血液の漏れを防止することができる。そのため、血液中のグルコースの精度のよい測定を、達成することができる。
【００３７】
また、ダム１８に取り囲まれているベース絶縁層３の表面に、ポリビニルピロリドンを塗布するなどの親水化処理を施すこともできる。
さらに、図６（ｂ）の仮想線で示すように、ダム１８を被覆する蓋２０を設けることもできる。蓋２０は、平板形状をなし、ダム１８で取り囲んでいる領域よりやや大きく形成されている。蓋２０の厚みは、例えば、０．０１〜１ｍｍである。
【００３８】
蓋２０は、穿刺方向上流側と、穿刺方向下流側と、幅方向両側とにおいて、ダム１８の上面に接着されている。
蓋２０を形成する材料としては、例えば、ベース絶縁層３と同様の合成樹脂が用いられる。ダム１８内への血液の導入を容易に認識できるように、好ましくは、透明性の合成樹脂が用いられる。
【００３９】
ダム１８の上面に蓋２０を接着するには、例えば、ダム１８自体を接着性のある材料から形成し、その上面に蓋２０を貼着する方法、例えば、ダム１８の上面に接着剤をインクジェットなどで塗布した後、その上面に蓋２０を貼着する方法などが用いられる。
蓋２０を設けることにより、ダム１８内から血液が漏れることを、より一層防止することができる。
【００４０】
また、上記の説明では、採血用回路基板１に、基板側ストッパ８および絶縁側ストッパ１０を形成したが、例えば、医療関係者や穿刺に慣れている患者が使用する場合には、図７（ａ）に示すように、採血用回路基板１に、基板側ストッパ８および絶縁側ストッパ１０のいずれも形成しなくてもよい場合がある。図７に示す採血用回路基板１では、基板側ストッパ８および絶縁側ストッパ１０のいずれも形成されていないので、金属基板２およびベース絶縁層３の形成の容易化を図ることができ、コストの低減を図ることができる。
【００４１】
さらに、この場合において、例えば、図７（ｂ）に示すように、ベース絶縁層３の回路搭載部９を、平面視において導体パターン３と同一形状またはそれよりやや大きい相似形状に形成することもできる。このようにすれば、採血用回路基板１の長手方向における強度を、配線１３に沿って形成されるベース絶縁層３によって確保しつつ、ベース絶縁層３の形成面積を低減して、コストの低減化を図ることができる。なお、図７（ｂ）において、カバー絶縁層５は、形成されていないが、カバー絶縁層５は、要求される強度により、ベース絶縁層３の表面に導体パターン４を被覆するように適宜形成することもできる。
【００４２】
さらに、上記の説明では、導体パターン４は、作用極、対極および参照電極に対応して、３つの電極１１、３つの端子１２および３本の配線１３を備えている。しかし、例えば、図８に示すように、参照電極を不要として、作用極および対極のみに対応して、２つの電極１１、２つの端子１２および２本の配線１３を備えることもできる。
図８に示す採血用回路基板１では、２つの電極１１が、回路搭載部９における穿刺方向下流側に配置されている。これら電極１１は、平面視略矩形形状に形成されており、穿刺方向に並列配置されている。２つの電極１１は、それぞれ、作用極または対極のいずれかに対応している。
【００４３】
また、回路搭載部９の穿刺方向上流側端部およびそれに対応する回路基板部７は、幅方向に広く形成されており、そこに、２つの端子１２が幅方向に並列配置されている。
また、２つの配線１３において、一方の配線１３は、一方の電極１１の幅方向一方側から幅方向一方に配置される端子１２へ穿刺方向に沿って延びるように設けられている。また、他方の配線１３は、他方の電極１１の幅方向他方側から幅方向他方に配置される端子１２へ穿刺方向に沿って延びるように設けられている。
【００４４】
なお、図８に示す採血用回路基板１では、カバー絶縁層５は形成されておらず、また、基板側ストッパ８および絶縁側ストッパ１０のいずれも形成されていない。
図８に示す採血用回路基板１では、図１などに示す採血用回路基板１と比較して、電極１１、端子１２および配線１３が、各１つ少ないので、回路搭載部９および回路基板部７を幅狭に形成することができ、採血用回路基板１の小型化および構成の簡略化を図ることができる。
【００４５】
さらに、上記の説明では、穿刺針６を穿刺方向に沿って設けたが、例えば、図９に示すように、穿刺針６を、採血用回路基板１の長手方向と交差する方向、具体的には、幅方向に沿って設けることもできる。
図９に示す採血用回路基板１では、回路搭載部９および回路基板部７が平面視略矩形形状（長方形状）に形成されている。穿刺針６は、回路基板部７の長手方向一方側端部近傍において、その幅方向一方側端部から幅方向外方へ突出するように設けられている。また、３つの電極１３は、回路搭載部９における長手方向一方側に配置されている。これら電極１１は、平面視略円形形状に形成されており、そのうち１つが、幅方向一方側において、穿刺針６と近接するように幅方向に対向配置されている。また、残りの２つが、幅方向他方側において、幅方向一方側の電極１１に対して、長手方向両側に並列配置されている。なお、図９に示す採血用回路基板１には、カバー絶縁層５は形成されていない。
【００４６】
図９に示す採血用回路基板１では、回路基板部７および配線搭載部８の幅方向一方側端縁によって、穿刺針６によるそれ以上の穿刺を規制することができる。
さらに、上記の説明では、採血用回路基板１において、金属基板２、ベース絶縁層３および導体パターン４を順次積層したが、例えば、図１０や図１１に示すように、導体パターン４を、穿刺針６とともに金属基板２から形成することもできる。
【００４７】
図１０に示す採血用回路基板１では、金属基板２は、図１０（ａ）に示すように、穿刺針６、回路基板部７および基板側ストッパ８を一体的に備えている。また、導体パターン４は、回路基板部７内に配置されている。
導体パターン４は、２つの電極１１、２つの端子１２および２本の配線１３を備えている。一方の電極１１、端子１２および配線１３は、連続して一体的に設けられている。それらは、回路基板部７内において、それらの外周縁が回路基板部７から離間するように、回路基板部７を切り抜いて形成されている。他方の電極１１、端子１２および配線１３もまた、連続して一体的に設けられている。それらは、回路基板部７内において、それらの外周縁が回路基板部７から離間するように、回路基板部７を切り抜いて形成されている。
【００４８】
なお、２つの電極１１は、平面視略円形形状に形成されており、穿刺方向に並列配置されている。
ベース絶縁層３は、回路基板部７に積層されており、図１０（ｂ）に示すように、回路基板部７内に配置されている導体パターン４と回路基板部７との間を繋ぎ、かつ、導体パターン４を露出させる開口部２１を有するパターンとして形成されている。
【００４９】
図１０に示す採血用回路基板１は、金属基板２を用意して、その金属基板２の表面にベース絶縁層３を上記のパターンとして形成し、その後、金属基板２を、外形加工すると同時に回路基板部７内を切り抜いて導体パターン４を形成する。これによって、穿刺針６、回路基板部７、基板側ストッパ８および導体パターン４が、ベース絶縁層３によって支持される採血用回路基板１を製造することができる。
【００５０】
図１０に示す採血用回路基板１は、導体パターン４が、穿刺針６、回路基板部７および基板側ストッパ８と同一層である金属基板２から形成されているので、採血用回路基板１の薄層化を図ることができる。また、製造工程を簡便にすることができるので、低コスト化を図ることができる。
図１１に示す採血用回路基板１は、ベース絶縁層３が、導体パターン４を露出させる開口部２１が形成されていないパターンとして形成されている以外は、図１０に示す採血用回路基板１と同一の構成を備えている。但し、基板側ストッパ８は形成されていない。
【００５１】
図１１に示す採血用回路基板１は、図１０に示す採血用回路基板１が電極１１および端子１２と、開口部２１を介してベース絶縁層３の表面からアクセスできるのに対して、電極１１および端子１２と、ベース絶縁層３の裏面からアクセスする点において、図１０に示す採血用回路基板１と相違している。図１１に示す採血用回路基板１は、図１０に示す採血用回路基板１と比較して、ベース絶縁層３に開口部２１が形成されていないことから、機械的強度を確保することができる。
【００５２】
上記した説明では、本発明の体液採取用回路基板を、採血用回路基板１として例示しているが、本発明の体液採取用回路基板は、血液に限らず、生体内にある液体であれば、特に限定されず、例えば、細胞内液や細胞外液を測定対象とすることができる。細胞外液としては、上記した血液が除かれ、例えば、血漿、組織間液、リンパ液、あるいは、密な結合組織、骨および軟骨中の水分、細胞透過液などが挙げられる。
【実施例】
【００５３】
以下に実施例を示し、本発明を具体的に説明するが、本発明は、何ら実施例に限定されない。
実施例１（図１に示す採血用回路基板の製造）
まず、厚み２５μｍ、幅３５０ｍｍのＳＵＳ４３０からなる金属基板を用意した（図２（ａ）参照）。【００５４】
そして、金属基板の表面に、感光性ポリイミド樹脂前駆体（感光性ポリアミック酸樹脂）のワニスを塗布し、加熱乾燥して皮膜を形成後、露光・現像することにより、皮膜をパターンに形成した。その後、窒素雰囲気下、４００℃に加熱して、厚み１０μｍのベース絶縁層を、配線搭載部および絶縁側ストッパを有するパターンとして形成した（図２（ｂ）参照）。【００５５】
その後、ベース絶縁層の表面に、厚み０．１μｍのクロム薄膜からなる金属薄膜をスパッタリングにより形成した。その後、金属薄膜の表面に、ドライフィルムレジストを積層し、露光・現像することにより、エッチングレジストをパターンとして形成した。その後、塩化第二鉄溶液およびフェリシアン化カリウム溶液をエッチング液として、エッチングレジストから露出する金属薄膜をウエットエッチングし、その後、エッチングレジストを除去して、電極、端子および配線を備える導体パターンを形成した（図２（ｃ）参照）。【００５６】
導体パターンの厚みは０．１μｍ、電極の一辺の長さは０．３ｍｍ、端子の一辺の長さは２ｍｍ、配線の幅は２５ｍｍであった。
その後、ベース絶縁層の表面に、導体パターンを被覆するように、感光性ポリイミド樹脂前駆体（感光性ポリアミック酸樹脂）のワニスを塗布し、加熱乾燥して皮膜を形成後、露光・現像することにより、皮膜をパターンに形成した。その後、窒素雰囲気下、４００℃に加熱して、厚み０．００５ｍｍのカバー絶縁層を形成した（図２（ｄ）参照）。なお、カバー絶縁層は、電極および端子が露出し配線が被覆されるように形成した。【００５７】
次いで、金属基板の表面にドライフィルムレジストを積層し、露光・現像することにより、エッチングレジストをパターンとして形成した。そして、エッチングレジストから露出する金属基板を、塩化第二鉄をエッチング液とするウエットエッチングにより、エッチングし、金属基板を、穿刺針、回路基板部および基板側ストッパを有するパターンとして外形加工した（図２（ｅ）参照）。回路基板部の幅方向長さは０．３ｍｍ、金属基板の長手方向長さは５ｍｍ、穿刺針の先端から最も近い電極までの長さが０．５ｍｍ、穿刺針の先端の角度が２５°、基板側ストッパの幅方向への突出長さは０．５ｍｍ、基板側ストッパの穿刺方向下流側端縁と穿刺針の先端との離間長さは１ｍｍであった。【００５８】
これによって、採血用回路基板を得た。得られた採血用回路基板において、１つの電極に、グルコースオキシダーゼおよびフェリシアン化カリウム溶液を含む薬剤を、インクジェットにより塗布した（図２（ｆ）参照）。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。 【００５９】
なお、穿刺針の穿刺時には、基板側ストッパおよび絶縁側ストッパが皮膚に当接して、穿刺針が皮膚に深く穿刺することを防止することができた。
実施例２（図６に示す採血用回路基板（蓋なし）の製造）
まず、厚み５０μｍ、幅３５０ｍｍのＳＵＳ３０４からなる金属基板を用意した（図２（ａ）参照）。【００６０】
そして、金属基板の表面に、感光性ポリイミド樹脂前駆体（感光性ポリアミック酸樹脂）のワニスを塗布し、加熱乾燥して皮膜を形成後、露光・現像することにより、皮膜をパターンに形成した。その後、窒素雰囲気下、４００℃に加熱して、厚み１５μｍのベース絶縁層を、配線搭載部および絶縁側ストッパを有するパターンとして形成した（図２（ｂ）参照）。【００６１】
その後、ベース絶縁層の表面に、ニッケル薄膜およびクロム薄膜からなる厚み０．１μｍの金属薄膜をスパッタリングにより形成した。その後、金属薄膜の表面に、ドライフィルムレジストを積層し、露光・現像することにより、エッチングレジストをパターンとして形成した。その後、塩化第二鉄溶液をエッチング液として、エッチングレジストから露出する金属薄膜をウエットエッチングし、その後、エッチングレジストを除去して、電極、端子および配線を備える導体パターンを形成した（図２（ｃ）参照）。【００６２】
導体パターンの厚みは０．１μｍ、電極の一辺の長さは２００μｍ、端子の一辺の長さは２００μｍ、配線の幅は３０ｍｍであった。
その後、ベース絶縁層の表面に、導体パターンを被覆するように、感光性エポキシ樹脂前駆体のワニスを塗布し、加熱乾燥して皮膜を形成後、露光・現像することにより、皮膜をパターンに形成した。その後、窒素雰囲気下、加熱して、厚み５０μｍのカバー絶縁層およびダムを一体的に形成した（図２（ｄ）参照）。なお、カバー絶縁層は、電極および端子が露出し配線が被覆されるように形成した。【００６３】
次いで、金属基板の表面にドライフィルムレジストを積層し、露光・現像することにより、エッチングレジストをパターンとして形成した。そして、エッチングレジストから露出する金属基板を、塩化第二鉄をエッチング液とするウエットエッチングにより、エッチングし、金属基板を、穿刺針、回路基板部および基板側ストッパを有するパターンとして外形加工した（図２（ｅ）参照）。回路基板部の幅方向長さは０．５ｍｍ、金属基板の長手方向長さは２０ｍｍ、穿刺針の先端から最も近い電極までの長さが０．３ｍｍ、穿刺針の先端の角度が１５°、基板側ストッパの幅方向への突出長さは０．５ｍｍ、基板側ストッパの穿刺方向下流側端縁と穿刺針の先端との離間長さは０．３ｍｍであった。【００６４】
これによって、採血用回路基板を得た。得られた採血用回路基板において、１つの電極に、グルコースオキシダーゼおよびフェリシアン化カリウム溶液を含む薬剤を、インクジェットにより塗布した（図２（ｆ）参照）。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。【００６５】
なお、穿刺針の穿刺時には、基板側ストッパおよび絶縁側ストッパが皮膚に当接して、穿刺針が皮膚に深く穿刺することを防止することができた。 
実施例３（図６に示す採血用回路基板（蓋あり）の製造）
実施例２と同様の方法により、採血用回路基板を製造した後、ダムに蓋を設けた。
すなわち、得られた採血用回路基板において、１つの電極にグルコースオキシダーゼおよびフェリシアン化カリウム溶液を含む薬剤をインクジェットにより塗布した後、ダムの上面にエポキシ接着剤をインクジェットで塗布し、その上面に蓋を貼着して、４０℃で１時間加熱した。これによって、ダム内を蓋によって被覆した。【００６６】
なお、蓋は、ポリカーボネート樹脂から、厚み７５μｍ、長手方向長さ３ｍｍおよび幅方向長さ２ｍｍの平板形状に形成した。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。【００６７】
なお、穿刺針の穿刺時には、基板側ストッパおよび絶縁側ストッパが皮膚に当接して、穿刺針が皮膚に深く穿刺することを防止することができた。
実施例４（図７（ａ）に示す採血用回路基板の製造）
まず、厚み１００μｍ、一辺２００ｍｍの正方形のＳＵＳ４３０からなる金属基板を用意した（図２（ａ）参照）。【００６８】
そして、金属基板の表面に、ポリイミド樹脂前駆体（ポリアミック酸樹脂）のワニスを塗布し、窒素雰囲気下、３５０℃に加熱して、厚み２μｍのポリイミドフィルムを形成した。そのポリイミドフィルムの表面に、ドライフィルムレジストを積層し、露光・現像することにより、エッチングレジストをパターンとして形成した。その後、エッチングレジストを１２０℃で加熱した後、水酸化カリウムおよびエタノールアミンを含有するアルカリ性エッチング液により、エッチングレジストから露出するポリイミドフィルムをウエットエッチングし、その後、エッチングレジストを除去して、厚み２μｍのベース絶縁層を、配線搭載部を有するパターンとして形成した（図２（ｂ）参照）。【００６９】
その後、ベース絶縁層の表面に、クロム薄膜および銅薄膜からなる金属薄膜をスパッタリングにより順次形成した。その後、金属薄膜の表面に、ドライフィルムレジストを積層し、露光・現像することにより、めっきレジストをパターンとして形成した。そして、めっきレジストから露出する金属薄膜の表面に、金属薄膜を種膜として、電解銅めっきにより、銅からなるめっき層を形成し、電極、端子および配線を備える導体パターンを形成した（図２（ｃ）参照）。その後、めっきレジストおよびそのめっきレジストが形成されていた部分の金属薄膜をエッチングにより除去した。【００７０】
導体パターンの厚みは１０μｍ、電極の一辺の長さは０．３ｍｍ、端子の一辺の長さは１ｍｍ、配線の幅は０．２ｍｍであった。
その後、厚み２５μｍのポリイミドフィルムに厚み１５μｍのエポキシ接着剤が積層されているフィルムを機械打ち抜きし、そのフィルムを、電極および端子が露出し配線が被覆されるように、ベース絶縁層の表面に積層した（図２（ｄ）参照）。その後、電極および端子に、厚み２μｍのニッケルめっき層と厚み０.５μｍの金めっき層とを電解めっきにより順次形成した。【００７１】
次いで、金属基板の表面にドライフィルムレジストを積層し、露光・現像することにより、エッチングレジストをパターンとして形成した。そして、ドライフィルムレジストから露出する金属基板を、塩化第二鉄をエッチング液とするウエットエッチングにより、エッチングし、金属基板を、穿刺針および回路基板部を有するパターンとして外形加工した（図２（ｅ）参照）。回路基板部の幅方向長さは２ｍｍ、金属基板の長手方向長さは３０ｍｍ、穿刺針の先端から最も近い電極までの長さが１ｍｍ、穿刺針の先端の角度が２０°であった。【００７２】
これによって、採血用回路基板を得た。得られた採血用回路基板において、１つの電極に、グルコースオキシダーゼおよびフェリシアン化カリウム溶液を含む薬剤を、インクジェットにより塗布した（図２（ｆ）参照）。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。【００７３】
実施例５（図９に示す採血用回路基板の製造）
まず、厚み５０μｍ、幅３５０ｍｍのＳＵＳ３０４からなる金属基板を用意した。
そして、金属基板の表面に、感光性ポリイミド樹脂前駆体（感光性ポリアミック酸樹脂）のワニスを塗布し、加熱乾燥して皮膜を形成後、露光・現像することにより、皮膜をパターンに形成した。その後、窒素雰囲気下、４００℃に加熱して、厚み１５μｍのベース絶縁層を、配線搭載部を有するパターンとして形成した。【００７４】
その後、ベース絶縁層の表面に、ドライフィルムレジストを積層し、露光・現像することにより、スパッタリングレジストをパターンとして形成した。スパッタリングレジストから露出するベース絶縁層の表面に、金薄膜からなる厚み０．１μｍの金属薄膜をスパッタリングにより形成した。その後、スパッタリングレジストを除去して、電極、端子および配線を備える導体パターンを形成した。【００７５】
導体パターンの厚みは０．１μｍ、電極の一辺の長さは２００μｍ、端子の一辺の長さは２００μｍ、配線の幅は３０ｍｍであった。
その後、金属基板の表面にドライフィルムレジストを積層し、露光・現像することにより、エッチングレジストをパターンとして形成した。そして、エッチングレジストから露出する金属基板を、塩化第二鉄をエッチング液とするウエットエッチングにより、エッチングし、金属基板を、穿刺針および回路基板部を有するパターンとして外形加工した。回路基板部の幅方向長さは１ｍｍ、金属基板の長手方向長さは１５ｍｍ、穿刺針は、回路基板部７の幅方向一方側端部から幅方向外方へ突出するように設けられ、その穿刺針の長さは０．５ｍｍ、穿刺針の先端の角度が２０°であった。【００７６】
これによって、採血用回路基板を得た。得られた採血用回路基板において、１つの電極に、グルコースオキシダーゼおよびフェリシアン化カリウム溶液を含む薬剤を、インクジェットにより塗布した。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。 【００７７】
なお、穿刺針の穿刺時には、回路基板部および配線搭載部の幅方向端縁が皮膚に当接して、穿刺針が皮膚に深く穿刺することを防止することができた。
実施例６（図１０に示す採血用回路基板の製造）
まず、厚み２０μｍ、幅３５０ｍｍのＳＵＳ４３０からなる金属基板を用意した。
そして、金属基板の表面に、感光性ポリイミド樹脂前駆体（感光性ポリアミック酸樹脂）のワニスを塗布し、加熱乾燥して皮膜を形成後、露光・現像することにより、皮膜をパターンに形成した。その後、窒素雰囲気下、４００℃に加熱して、厚み１０μｍのベース絶縁層を、開口部が形成されている配線搭載部を有するパターンとして形成した。なお、開口部は、円形形状に形成され、その直径が３００μｍφであった。【００７８】
その後、金属基板の表面にドライフィルムレジストを積層し、露光・現像することにより、エッチングレジストをパターンとして形成した。そして、エッチングレジストから露出する金属基板を、塩化第二鉄をエッチング液とするウエットエッチングにより、エッチングし、金属基板を、穿刺針、基板側ストッパ、回路基板部および導体パターン（電極、端子および配線を含む。）を有するパターンとして加工した。回路基板部の幅方向長さは０．５ｍｍ、金属基板の長手方向長さは１０ｍｍ、穿刺針の先端から最も近い電極までの長さが０．５ｍｍ、穿刺針の先端の角度が１５°であった。【００７９】
これによって、採血用回路基板を得た。得られた採血用回路基板において、１つの電極に、ベース絶縁層の開口部側から、グルコースオキシダーゼおよびフェリシアン化カリウム溶液を含む薬剤を、インクジェットにより塗布した。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。【００８０】
なお、穿刺針の穿刺時には、基板側ストッパが皮膚に当接して、穿刺針が皮膚に深く穿刺することを防止することができた。
実施例７（図１１に示す採血用回路基板の製造）
まず、厚み１００μｍ、一辺３５０ｍｍの正方形のＳＵＳ３０４からなる金属基板を用意した。【００８１】
その金属基板に、配線搭載部に相当するパターンを有する厚み１００μｍのポリカーボネート樹脂フィルムを熱圧着し、金属基板の表面にベース絶縁層を形成した。
その後、金属基板の表面にドライフィルムレジストを積層し、露光・現像することにより、エッチングレジストをパターンとして形成した。そして、エッチングレジストから露出する金属基板を、塩化第二鉄をエッチング液とするウエットエッチングにより、エッチングし、金属基板を、穿刺針、回路基板部および導体パターン（電極、端子および配線を含む。）を有するパターンとして加工した。回路基板部の幅方向長さは３ｍｍ、金属基板の長手方向長さは１０ｍｍ、穿刺針の先端から最も近い電極までの長さが０．５ｍｍ、穿刺針の先端の角度が２５°であった。【００８２】
これによって、採血用回路基板を得た。得られた採血用回路基板において、１つの電極に、ベース絶縁層の裏側から、グルコースオキシダーゼおよびフェリシアン化カリウム溶液を含む薬剤を、インクジェットにより塗布した。
評価
穿刺針で指先を穿刺し、それから搾り出した血液滴に、電極を近づけて接触させた。すると、血液により、グルコースが酸化、フェリシアン化イオンが反応するので、採血用回路基板を、血糖値測定装置に挿入して、グルコース量を測定することができた。【００８３】
なお、上記説明は、本発明の例示の実施形態として提供したが、これは単なる例示にすぎず、限定的に解釈してはならない。当該技術分野の当業者によって明らかな本発明の変形例は、後記の特許請求の範囲に含まれるものである。
【産業上の利用可能性】
【００８４】
本発明の体液採取用回路基板は、血液などの体液の成分を測定する装置に接続して、血液中のグルコース量などの体液の成分を測定するために用いられる。
【図１】
2009008193.tif 000003
【図２】
2009008193.tif 000004
【図３】
2009008193.tif 000005
【図４】
2009008193.tif 000006
【図５】
2009008193.tif 000007
【図６】
2009008193.tif 000008
【図７】
2009008193.tif 000009
【図８】
2009008193.tif 000010
【図９】
2009008193.tif 000011
【図１０】
2009008193.tif 000012
【図１１】
2009008193.tif 000013
【国際調査報告】
2009008193.tif 000014
2009008193.tif 000015
2009008193.tif 000016
2009008193.tif 000017